(57)【特許請求の範囲】
【請求項１】
頭周り部の前部下端に庇部を設けると共に前記頭周り部の上端に冠部を接続することによって構成される野球帽タイプの帽子であって、
前記頭周り部の前部は下端に向かうに従って帽子の外側方向に拡がる傾斜面で形成され、前記頭周り部の前部下端が前記庇部の一端両側部に接続されるが前記庇部の一端中央部には接続されないことにより前記庇部と頭周り部との間に空隙を設け、前記庇部の一端中央部が前記頭周り部の前部下端よりも帽子の内側に位置し、
前記頭周り部の少なくとも前部と前記庇部とを合成樹脂により一体成型したことを特徴とする帽子。
【請求項２】
前記頭周り部の前部および両側部と前記庇部とを合成樹脂により一体成型した請求項１記載の帽子。
【請求項３】
前記頭周り部の全周と前記庇部とを合成樹脂により一体成型した請求項１記載の帽子。
【請求項４】
前記頭周り部の内側にスライドアジャスタを設けた野球帽タイプの帽子であって、
該スライドアジャスタは合成樹脂製のバンドとバックルからなり、バンド外表面に形成した鋸歯状の係合溝にバックルの係合爪を係合させ該係止状態においてバンドはバックルに接近自在であるが後退不能とされ、
前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板は前記係合爪と前記押圧部の中間点にて前記両側板又は前記天井枠を結ぶ連結軸で支承することにより該中間点を支点として揺動自在とされてなり、
前記押圧部の高さを前記天井枠と同じかそれよりも低いものとし、前記バックルが前記天井枠を介して前記頭周り部の内側に固定された請求項１〜３のいずれかに記載の帽子。
【請求項５】
前記バンドと前記頭周り部とを合成樹脂により一体成型した請求項４記載の帽子。
【発明の詳細な説明】
【技術分野】
【０００１】
この発明は、通気性を有する帽子に関するものである。
【背景技術】
【０００２】
従来、通気性を有する帽子としては、帽体に通気孔を設けるもの、帽体の生地の一部または全部にメッシュ素材を用いるもの等が知られている。
帽体に通気孔を設ける方式は、直径１ｍｍ〜５ｍｍ程度の通気孔が帽体の適宜位置に数か所設けられるが、通気孔が小さいため清涼感を感じるのに十分な通気性を確保することはできなかった。また、帽体の生地の一部にメッシュ素材を用いた場合には、通気性を確保することはできるが、メッシュ素材を用いた部分において直接日光が当たるため、被着者は十分な清涼感を感じることができない。さらに、帽体に通気孔を設けたり、帽体の生地の一部にメッシュ素材を用いたりした場合は、外観上の体裁も良くない。
【０００３】
特許文献１には、クラウンの前面に通気部を形成してなる帽子において、クラウンの下端内周の前半部に、中央部分を袋状部となし、必要に応じて吸汗その他の温調具を収納できるようにした長さ調節ベルトを伸縮調節を自在とするように取り付けてなる帽子が記載されている。本考案によれば、通気部から流入した空気がベルトの前面とクラウンの内周面との間に表れる空隙部から下方に流動するが、通気部から日差しや異物が侵入することに対して防御策が講じられていない。
【０００４】
特許文献２には、帽子の内側に空気を導入する入口開口部を冠部の前部でひさしの高さより上に有し、前記入口開口部の上側の縁から垂れ下がるバッフルまたはブレードを設け、前記冠部の後頭部部分に出口開口部を有する帽子が記載されている。本発明によれば、入口開口部から出口開口部に渡って前記バッフルまたはブレードによって生成される穏やかな乱流が帽子使用者の頭頂部を覆うことで冷却効果を生じる。しかしながら、前記バッフルまたはブレードにより帽子前方からの外気が遮られるため、帽子の被着者の頭部において最も冷気に敏感な部位である額に直接外気が接触することはない。また、本発明は生地により開口部が構成されているので開口部を確実に維持することは不可能である。
【先行技術文献】
【特許文献】
【０００５】
【特許文献１】実開昭５５−１００３１９号（実開昭５７−０２７４２７号）のマイクロフィルム
【特許文献２】特許第４５１６６８９号公報
【発明の概要】
【発明が解決しようとする課題】
【０００６】
本発明は通気性と遮光性を同時に確保することが可能であり、かつ、製作容易な帽子を提供する。また、外気が帽子の被着者の頭部において最も冷気に敏感な部位である額に直接接触することにより冷却効果を高める。
【課題を解決するための手段】
【０００７】
本発明の帽子は、頭周り部の前部下端に庇部を設けると共に前記頭周り部の上端に冠部を接続することによって構成される野球帽タイプの帽子であって、前記頭周り部の前部は下端に向かうに従って帽子の外側方向に拡がる傾斜面で形成され、前記頭周り部の前部下端が前記庇部の一端両側部に接続されるが前記庇部の一端中央部には接続されないことにより前記庇部と頭周り部との間に空隙を設け、前記庇部の一端中央部が前記頭周り部の前部下端よりも帽子の内側に位置し、前記頭周り部の少なくとも前部と前記庇部とを合成樹脂により一体成型したことを特徴とする。
【０００８】
前記頭周り部の前部および両側部と前記庇部とを合成樹脂により一体成型したことが好ましい。
前記頭周り部の全周と前記庇部とを合成樹脂により一体成型したことが好ましい。
【０００９】
前記頭周り部の内側にスライドアジャスタを設けた野球帽タイプの帽子であって、該スライドアジャスタは合成樹脂製のバンドとバックルからなり、バンド外表面に形成した鋸歯状の係合溝にバックルの係合爪を係合させ該係止状態においてバンドはバックルに接近自在であるが後退不能とされ、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板は前記係合爪と前記押圧部の中間点にて前記両側板又は前記天井枠を結ぶ連結軸で支承することにより該中間点を支点として揺動自在とされてなり、前記押圧部の高さを前記天井枠と同じかそれよりも低いものとし、前記バックルが前記天井枠を介して前記頭周り部の内側に固定されたことが好ましい。
【００１０】
前記バンドと前記頭周り部とを合成樹脂により一体成型したことが好ましい。
【発明の効果】
【００１１】
本発明に係る帽子は、頭周り部の前部下端が庇部の一端両側部に接続されるが前記庇部の一端中央部には接続されないことにより前記庇部と前記頭周り部との間に空隙を設け、前記頭周り部の少なくとも前部と前記庇部とを合成樹脂により一体成型するため、庇部と頭周り部との間に容易に空隙を確保することができる。また、前記庇部の一端中央部が前記頭周り部の前部下端よりも帽子の内側に位置しているので、前方から外気が庇部に沿って空隙から帽子の内部に導入され被着者の頭部において最も冷気に敏感な部位である額に直接接触するため冷却効果が格段に高まる。さらに、頭周り部の前部は下端に向かうに従って帽子の外側方向に拡がる傾斜面で形成されるので、前記空隙から日差しや異物が侵入することを防止できる。
本発明に係る帽子は、前記頭周り部の上端に冠部を接続することによって構成さるので、製作は極めて容易である。
【図面の簡単な説明】
【００１２】
【図１】本発明の帽子の側面図（図１（１））および頭周り部の前部と庇部を帽体から分離して示す側面図（図１（２））である。
【図２】図１に示す帽子の被着状態を示す縦断側面図である。
【図３】本発明の他の実施形態を示す帽子であって、頭周り部の内側に設けたスライドアジャスタを透視して描いた帽子を左前部上方から見た斜視図である。
【図４】バンドとバックルからなるスライドアジャスタの平面図（図４（１））およびそのｚ−ｚ切断線における縦断側面図（図４（２）、（３））である。
【図５】図３に示す帽子の底面図である。
【図６】頭周り部とバンドを合成樹脂により一体成型した帽子を示す斜視図である。
【発明を実施するための形態】
【００１３】
以下、本発明に係る通気性を有する帽子の実施形態を図面に基づいて説明する。
図１（１）は、本発明に係る帽子の側面図であり、帽子を構成する冠部２、頭周り部３および庇部４が示されている。図１（２）は、頭周り部の前部３ａと庇部４を帽体から分離して示す側面図である。
【００１４】
庇部４は頭周り部３の前部下端に設けられ、頭周り部３の上端に冠部２が接続される。頭周り部３の前部３ａは庇部４と合成樹脂により一体となって成型され、冠部２は縫製等により頭周り部３の上端に接続される。
頭周り部３の前部３ａは下端に向かうに従って帽子の外側方向に拡がる傾斜面で形成される。これにより、後記する空隙から帽子の内側に日光が差し込んだり、異物が入り込んだりすることを防ぐことができる。頭周り部３の前部３ａの角度に格別の制限はなく、日差しや異物の侵入を有効に防ぐことのできる角度であれば良い。
【００１５】
頭周り部３の前部３ａ下端は庇部４の一端両側部４ａに接続されているが、庇部４の一端中央部４ｂには接続されていない。これにより、庇部４と頭周り部３との間に空隙５が設けられる。
頭周り部３の前部３ａと庇部４は合成樹脂により一体成型されるので、帽子の前部に確実に空隙５が確保される。また、頭周り部３の上端に冠部２を接続するのみで頭周り部３の前部３ａと庇部４との間に空隙５を有する帽子を容易に製作することができる。
【００１６】
頭周り部３の前部３ａと庇部４の材質としては、ポリエステル、ポリプロピレン、ポリエチレン、ポリカーボネート、ＡＢＳ樹脂などの合成樹脂を用いることができる。この頭周り部３の前部３ａと庇部４は、簡易な構造の故に金型で容易に一体成型することができる。図１（２）は、この一体成型された頭周り部３の前部３ａと庇部４を冠部２から分離して示す側面図である。
【００１７】
続いて、本発明に係る帽子の作用について図２を用いて説明する。図２は図１に示す帽子の被着状態を示す縦断側面図である。
庇部４の一端中央部４ｂは頭周り部３の前部３ａ下端よりも帽子の内側に位置するので、帽子前方からの外気Ｗは庇部４の上部に沿って、途中遮られることなく前記空隙５より帽子の内部に導入される。
【００１８】
本発明によれば、庇部４に沿って空隙５から帽子の内側に流入する大量の外気Ｗは、帽子の被着者の頭部において最も冷気に敏感な部位である額に直接接触することに加えて、頭周り部の前部３ａにより日差しＳが遮られるので、冷却効果が体感上極めて優れている。また、頭周り部の前部３ａおよび庇部４は合成樹脂により一体成型されるので、空隙５を確実に確保することができる。
【００１９】
本実施形態では、頭周り部３の前部３ａと庇部４とを合成樹脂により一体成型したが、頭周り部３の全周と庇部４とを合成樹脂により一体成型しても良い。この場合、帽子のベースとなる頭周り部３の全周が合成樹脂で構成されるので空隙５を設けた帽子全体の形状が保持される。
また、帽子の後部にサイズ調整機構を設ける場合には、頭周り部３の前部３ａおよび両側部と庇部４とを合成樹脂により一体成型することも可能である。
【００２０】
次に本発明の別の実施形態について図３を参照しながら説明する。
この実施形態では、頭周り部３の内側にスライドアジャスタ８が設けられる。図３は、スライドアジャスタ８を透視して描いた帽子を左前部上方から見た斜視図であり、帽子を構成する冠部２、頭周り部３、庇部４が示されている。庇部４は頭周り部３の前部下端に設けられ、頭周り部３の上端に冠部２が接続される。頭周り部３の全周は庇部４と合成樹脂により一体となって成型され、冠部２は縫製等により頭周り部３の上端に接続されている。
【００２１】
頭周り部３の内側に設けられるスライドアジャスタ８については図４を用いて後述するように、バンド１０とバックル２０とからなり、バックル２０は天井枠を介して頭周り部３の内側に固定される。
当該固定手段としては、通常、縫製によることが好ましいが、これに限らず、カシメ、接着剤等を用いた固定手段を採用することもできる。なお、バンド１０およびバックル２０は、頭周り部３の円周方向のいずれの位置にも設けることができるので、後述する係合解除用の押圧部３２も頭周り部３の任意の位置に設けることができる。
【００２２】
続いて、スライドアジャスタ８について図４を用いて説明する。
図４にはバンド１０とバックル２０からなるスライドアジャスタが示されており、図４（１）はその平面図、図４（２）は図４（１）のｚ−ｚ切断線における縦断側面図である。
【００２３】
これらの図において、所要の長さ、幅、厚みを有するバンド１０の外表面には、先端（バックル２０に近い部分）から末端にかけて鋸歯状の係合溝１２が形成されている。
【００２４】
バックル２０は、底板２１、これに対向する天井枠２２、および底板２１と天井枠２２とを接続する側板２３、２３とからなる偏平かつ筒状のバックル本体２４により主体が構成されている。バックル本体２４はバンド１０のスライド方向が挿通口として開口され、その内部はバンド１０の挿通空間２６となる。
【００２５】
バックル本体２４を構成する天井枠２２を偏平な板によって形成することにより、バックル２０をびん皮４に取付け易くしている。これにより、手間とコストをかけることなく本発明に係る帽子を量産することができる。
図４において押圧部３２は片手の指先で押し易いように小円形に形成されているが、これに限らず角形状としても良い。
【００２６】
図４において符号２２ａは、操作板３０の一端部と対向する天井枠２２であって、操作板３０と反対方向に水平に延伸して形成されている。天井枠２２ａによって、バックル２０は頭周り３の内側に確実に固定されると共に、バンド１０のスライド時にその前端部が天井枠２２ａの下面（底板２１との対向面）に沿って進入するので、スライドガイドや鞘としての役割も果たす。
天井枠２２ａの延伸長をバンド１０と同程度の長さとすれば、スライドガイドや鞘としての長さは十分である。
他方、本実施形態では、頭周り部３の全周を合成樹脂により成型しているので、頭周り部３自体にスライドガイドや鞘としての役割を持たせ、天井枠２２の任意の部分を偏平な板によって形成しても良い。
【００２７】
天井枠２２の内側には、その内に納まる大きさの操作板３０が水平に設置される。操作板３０の一端部下面には、バンド１０の係合溝１２に係合可能な係合爪３１を突設し、他端部の上面は係合解除用の押圧部３２となる。押圧部３２の高さは天井枠２２と同じかそれよりも低いものとされるため、バックル２０を頭周り部３に固定した場合において帽子を被着したときでも、不用意に係合が解除されるのを防ぐことができる。
【００２８】
操作板３０の長手方向の中間地点には、連結軸３５が形成され、この連結軸３５は両側板２３、２３の上部内壁に連結されている。連結軸３５の断面形状は、円形、楕円形、その他種々の形状とすることができる。連結軸３５は操作板３０を揺動自在に軸支すると共に、反復的な揺動により破損しない形状であれば差し支えない。なお、連結軸３５は両側板２３、２３に限らず、操作板３０と対向する天井枠２２の二辺に支承されていても、後述する作用と同じ作用を発揮することができる。
【００２９】
バンド１０とバックル２０は、可撓性を有する合成樹脂により成型することが好ましい。バンド１０を合成樹脂製とすることにより、バンド１０が天井枠２２ａの下面または頭周り部３の内側をスムーズにすべることが可能となる。
【００３０】
また、バックル２０は操作板３０を連結軸３５の周囲に揺動させる必要から、ポリアセタール、ポリオキシメチレン、ポリアミド、ポリカーボネートなどの弾性を有する合成樹脂により成型することが好ましい。このバックル２０は、僅かな部品により構成され、かつ、簡易な構造の故に、金型で容易に一体成型することができる。
【００３１】
続いて、図３に示す帽子の作用を説明する。
帽子サイズを調整するには、一方の手の指先で、頭周り部３の内側に露出したバンド１０を直接持ち、他方の手の指先で内側にスライドアジャスタ８が設けられている頭周り部３を持ち、両手を近づければ良い。
【００３２】
この操作によって、帽子のサイズを小さく調整することができるが、両手を引離しても、後述するスライドアジャスタ８の作用によって、帽子のサイズが大きくなることはない。帽子のサイズを大きくするには、スライドアジャスタ８の押圧部３２を指先等で押圧すれば良い。
【００３３】
本実施形態における帽子を被着した状態では、額にバンド３０が接触するが帽子は接触しないで、額と帽子の間に隙間が形成される（図５参照）。したがって、外気が空隙５から帽子の内部に入ると額に外気が直接接触するほか、帽体内部に貯留する蒸れた空気がこの外気流に同伴されて前記隙間から帽体外部に排気される。
また、バンド３０が額に接触することから、帽子の被り心地、特にフィット感が良くなるという効果があるほか、庇部４の一端中央部４ｂが帽子の内側に突き出している場合であっても、庇部４と額が接触しないようにすることが可能となる。
さらに、頭髪との接触部分も限定された領域となるので、当該帽子を被着しても頭髪の乱れを大幅に低減させることができる。
【００３４】
本実施形態では、スライドアジャスタ８の押圧部３２に相当する頭周り部３に開口４１が設けられており、開口４１から押圧部３２が外観に現れた状態が示されている。したがって、バンド１０とバックル２０の係合解除操作がスムーズになるという効果がある。
【００３５】
次に、上記スライドアジャスタの作用を説明する。図４（２）は、バックル２０の挿通空間２６内にバンド１０が挿入され、バンド１０の外表面に形成された係合溝１２に、バックル２０の係合爪３１が係合した状態を示している。係合溝１２はスライド方向の断面形状が鋸歯状、即ち、バンド１０の進行方向に向けて漸次深くなるテーパ面と、この最深位置より略垂直に立上る壁面とからなっている。
【００３６】
バンド１０を押圧部３２側（図４（２）において左側）からバックル本体２４の挿通空間２６内に進入させていくと、バンド１０の上面が操作板３０の係合爪３１に接触して、操作板３０の一端部（係合爪３１が形成された側）を押し上げながら前進し、バックル２０に対するバンド１０の接近・離隔位置が調節される。この状態では、図４（２）に示すように、係合爪３１が所定の係合溝１２と噛み合って係止しているので、バンド１０はバックル２０に対して進出自在であるが、後退不能である。
【００３７】
一方、バックル２０からバンド１０を後退させたり、引き抜いたりするには、操作板２０の押圧部３２を軽く指で押し下げれば、図２（３）に示すように、連結軸３５を中心として操作板３０が回転する結果、反対側に位置する係合爪３１が持ち上がり、係合爪３１が係合溝１２から外れるので、バンド１０を自由にスライドさせることができる。押圧部３２から指を離せば、押圧部３２は合成樹脂の弾性により元の水平状態に復帰する。
【００３８】
本発明において、スライドアジャスタ８は上記の構造を有するものに限らず、バンドに係合溝を設け、この溝にバックルのフックを弾性的に係合し、バンドに対して略垂直方向に作動するプッシュボタンにより随時、この係止状態を解放可能とするようなバックルとバンドとからなるスライドアジャスタであれば、いずれの構造のものでも良い。
また、図６に示すように頭周り部３とバンド１０を合成樹脂により一体成型することも可能である。この場合、バンド１０を頭周り部３に固定する手間を省くことができる他、バンド１０が確実に頭周り部３に固定されるので帽子の製作はより容易となる。
【符号の説明】
【００３９】
２      冠部
３      頭周り部
３ａ    頭周り部の前部
４      庇部
４ａ    庇部の一端両側部
４ｂ    庇部の一端中央部
５      空隙
８      スライドアジャスタ
１０    バンド
１２    係合溝
２０    バックル
２２    天井枠
２４    バックル本体
３０    操作板
３１    係合爪
３２    押圧部
【要約】 
【課題】  本発明は通気性と遮光性を同時に確保することが可能であり、かつ、製作容易な帽子を提供する。
【手段】    本発明の帽子は、頭周り部の前部下端に庇部を設けると共に前記頭周り部の上端に冠部を接続することによって構成される野球帽タイプの帽子であって、前記頭周り部の前部は下端に向かうに従って帽子の外側方向に拡がる傾斜面で形成され、前記頭周り部の前部下端が前記庇部の一端両側部に接続されるが前記庇部の一端中央部には接続されないことにより前記庇部と頭周り部との間に空隙を設け、前記庇部の一端中央部が前記頭周り部の前部下端よりも帽子の内側に位置し、前記頭周り部の少なくとも前部と前記庇部とを合成樹脂により一体成型したことを特徴とする。
【選択図】図１【図１】
0005466748.tif 000002
【図２】
0005466748.tif 000003
【図３】
0005466748.tif 000004
【図４】
0005466748.tif 000005
【図５】
0005466748.tif 000006
【図６】
0005466748.tif 000007